(57)【要約】【課題】２眼マウントを持った３Ｄ撮像装置において、異なるレンズをそれぞれに取り付けた際でも、３Ｄ映像を撮影することを可能にした２眼３Ｄカメラを提供すること。【解決手段】２眼マウントおよび３Ｄモードを備えた撮像装置において、各々のマウントからレンズ情報を取得する手段を持ち、上記手段において各々のレンズが異なると判断した場合に各々のレンズから取得できる光学関連情報を比較し、それぞれの光学情報が重なるか否かを判断し、重ならない場合は３Ｄモードにはいらず、重なる範囲がある場合はその範囲内においてのみ操作可能とし、その範囲で各々の光学パラメータを合わせた３Ｄモードに入ることを特徴とする。【選択図】図５
2016045266.tif 000002
【特許請求の範囲】
【請求項１】
２眼マウントおよび３Ｄモードを備えた撮像装置において、
各々のマウントからレンズ情報を取得する手段を持ち、
上記手段において各々のレンズが異なると判断した場合に各々のレンズから取得できる光学関連情報を比較し、
それぞれの光学情報が重なるか否かを判断し、重ならない場合は
３Ｄモードにはいらず、
重なる範囲がある場合はその範囲内においてのみ操作可能とし、その範囲で各々の光学パラメータを合わせた３Ｄモードに入ることを特徴とする撮像装置。
【請求項２】
前記光学関連情報は、
・ズーム範囲
・絞り範囲
・シャッタースピード
・ピント位置
・手ぶれ量
のいずれかまたはそのいくつかもしくはそのすべてであることを特徴とする請求項１に記載の撮像装置。
【発明の詳細な説明】
【技術分野】
【０００１】
本発明は、撮像装置に関し、特に３Ｄ撮影用に２つの交換レンズを備えた撮像装置に関する。
【背景技術】
【０００２】
従来、３Ｄ撮影を行うには、２台のカメラ及びリグを用いて位置合わせを行い、ミラー等により視差を合わせて撮影する。その際、位置合わせに非常に時間及び手間がかかるという問題がある。
【０００３】
また、カメラに２つのカメラユニットを内蔵した３Ｄ撮影装置も近年発売されている。また、複数の撮像手段を用いてパノラマ画像を撮影する際、重なる部分の露光量を画像比較により制御するアイデアが出願されている（特許文献１）。
【先行技術文献】
【特許文献】
【０００４】
【特許文献１】特許第３０３５４３４号公報
【発明の概要】
【発明が解決しようとする課題】
【０００５】
上述の特許文献１の場合、撮影の位置合わせは簡易にできるが、内蔵の撮像レンズが既に搭載されているため、例えば広角や望遠といった多様な撮影に対応することが困難であった。
【０００６】
そこで、２つのレンズ交換用カメラマウントを持った３Ｄ撮像装置が想定される。この３Ｄ撮像装置であれば、広角から望遠までレンズを交換することにより多様な撮影が可能となる。また、本マウントを通常のカメラ用マウントと共通とすれば、既に持っているカメラレンズを使用できるというメリットもある。できれば３Ｄ撮影用には同一のレンズを２つそろえることが望ましい。
【０００７】
しかしながら、カメラ用レンズは高価なものも多く、２つのレンズをそろえることが困難であったり、既に資産として持っているレンズを使用したいといった場合に撮影者に負担をかけてしまう、気軽に３Ｄ撮影ができないといった問題があった。
【０００８】
そこで、本発明の目的は、２眼マウントを持った３Ｄ撮像装置において、異なるレンズをそれぞれに取り付けた際でも、３Ｄ映像を撮影することを可能にした２眼３Ｄカメラを提供することである。
【課題を解決するための手段】
【０００９】
上記目的を達成するために、本発明は、２眼マウントおよび３Ｄモードを備えた撮像装置において、
各々のマウントからレンズ情報を取得する手段を持ち、
上記手段において各々のレンズが異なると判断した場合に各々のレンズから取得できる光学関連情報を比較し、
それぞれの光学情報が重なるか否かを判断し、重ならない場合は
３Ｄモードにはいらず、
重なる範囲がある場合はその範囲内においてのみ操作可能とし、その範囲で各々のパラメータを合わせた３Ｄモードに入ることを特徴とする。
【発明の効果】
【００１０】
本発明によれば、２眼マウントを持った撮像装置において、異なるレンズをそれぞれに取り付けた際でも、３Ｄ映像を撮影することを可能にした２眼３Ｄ撮像装置を提供することができる。
【図面の簡単な説明】
【００１１】
【図１】本発明の実施形態にかかわるブロック図
【図２】本発明の実施形態にかかわる撮像装置の前方斜視図
【図３】本発明の実施形態にかかわる撮像装置の前方斜視図
【図４】本発明の実施形態にかかわる撮像装置でのレンズ条件説明図
【図５】本発明の実施形態にかかわるフローチャート
【発明を実施するための形態】
【００１２】
以下に、本発明の好ましい実施の形態を、添付の図面に基づいて詳細に説明する。撮像装置１００は、図１に示すように、レンズＡ部１１０、レンズＢ部１１１、画像撮像部２、画像処理部３、圧縮伸張処理部４、表示部１０５、記録再生処理部６、カード制御部７、メモリ１１、メモリ制御部１２、ＣＰＵ１３、操作部１４、レンズ情報比較部１５、入出力部１６、電源制御部１７を備えている。また、各機能ブロックはそれぞれデータバス１８を介して互いにデータ通信可能に接続されている。
【００１３】
このような撮像装置１００において、メモリ１１は、プログラム記憶領域とデータ作業領域を有し、データバス１８を介して各機能ブロックでタイム・シェアリングして使用され、メモリ制御部１２により制御及び管理されている。ＣＰＵ１３は所定のプログラムを実行すること等により、撮像装置１００全体を統括制御する中央演算処理回路である。
【００１４】
操作部１４はユーザーからのキー操作などに基づいて、ＣＰＵ１３に対して動作指示する機能を有する。メモリーカード１９は、ＳＤカードやコパクトフラッシュ（登録商標）等の脱着式のフラッシュメモリーであり、撮影データ及等が記録される。
【００１５】
電源制御部１７は、バッテリ検出回路、ＤＣ−ＤＣコンバータ、通電するブロックを切り替えるスイッチ回路等により構成されており、電池の装着の有無、電池の種類、電池残量の検出を行う。バッテリ２３は、リチウムイオン電池等であり、撮像装置１００に電源を供給する。
【００１６】
レンズ情報比較部１５は、レンズＡ部１１０及びレンズＢ部１１１が持っているレンズ固有のレンズ光学情報を取得、確認し、比較することによって、レンズＡ部１１０及びレンズＢ部１１１で３Ｄ撮影が可能な範囲を導き出す。この範囲情報はデータバス１８を通って３Ｄモード制御部３に送られ、レンズの光学性能の同期を行う。さらに前記撮影可能範囲内でしか３Ｄモードが働かないようにレンズ動作に制限をかける。また前記撮影範囲情報は表示部１０５に撮影可能範囲として、撮影画像とともに表示される。また記録再生処理部６及びカード制御部７を介してメモリーカード部１９に画像データが保存される。
【００１７】
本実施形の前方斜視図を図２，３に示す。２眼マウント撮像装置の３Ｄ撮影においては、図２に示すように通常、マウントＡ部１０３及びマウントＢ部１０４にはそれぞれ同一のレンズ、レンズ１０１及びレンズ１０２が装着される。この場合、必要な３Ｄ調整は視差調整等に限られる。
【００１８】
しかし、通常１つのマウント規格に対し、各メーカーとも様々なレンズを用意し、またサードパーティメーカーも様々なレンズを作っている。さらに、以前から同一のマウントを使用してきたユーザーは、同一のレンズを持っていることはほとんどなく、別の種類のレンズを持つことが通常である。
【００１９】
図３に別々のレンズがついた２眼マウント撮像装置を示す。マウントＡ部１０３及びマウントＢ部１０４にはそれぞれ異なるレンズ、レンズＡ部１１０及びレンズＢ部１１１が取りついている。このようなモデルに対し、３Ｄ撮影を行うためには、いくつかの光学パラメータを合わせる必要がある。
【００２０】
具体的なイメージを図４に示す。図４のズーム範囲に着目すると、図に示すようにレンズＡ部１１０のズーム範囲は１８−１３５ｍｍ、レンズＢ部１１１のズーム範囲は１５−４５ｍｍとなっている。この場合、どちらのレンズでも撮影可能な範囲としては、それぞれのズーム範囲が重なる範囲となるため、３Ｄ撮影可能なズーム範囲は１８−４５ｍｍとなる。このような重なる範囲をそれぞれの光学パラメータごとに設定することにより、３Ｄ撮影可能な範囲を設定することができる。
【００２１】
図５は本実施形における３Ｄ撮影モードに入るまでのフローチャートである。スタート後、ステップＳ１にてレンズＡ部１１０及びレンズＢ部１１１のレンズ情報を取得する。続いて、ステップＳ２にて３Ｄモードかどうかを判断し、３ＤモードがＯＮでなければステップＳ６へ進み、２Ｄモードに入る。３ＤモードがＯＮの場合、ステップＳ３にてレンズが同一かどうか判断し、同一の場合にはステップＳ１１で３Ｄ撮影モードに入る。
【００２２】
同一でなかった場合、ステップＳ１で取得したレンズ情報を基に、ズーム範囲が重なっているかどうかをステップＳ４で判断する。重なっている部分がなかった場合、ステップＳ５にて、３Ｄ撮影できない旨を表示部１０５に表示した上でステップＳ６に進み、２Ｄモードに入る。
【００２３】
ステップＳ４にてズーム範囲に重なっている部分がある場合、ステップＳ７にて重なっている範囲をズーム範囲に設定する。ズーム範囲をステップＳ７にて決定後、ステップＳ８にて、絞り範囲が重なっているか動かを判断する。重なっている部分がなかった場合、ステップＳ５にて、３Ｄ撮影できない旨を表示部１０５に表示した上でステップＳ６に進み、２Ｄモードに入る。ステップＳ８で絞り範囲が重なっている部分がある場合、ステップＳ９で重なっている部分を絞り範囲に設定する。
【００２４】
同様に、必要な光学パラメータが重なっているかどうかをステップＳ１０で判定し、重なっている部分がなかった場合、ステップＳ４にて、３Ｄ撮影できない旨を表示部１０５に表示した上でステップＳ６に進み、２Ｄモードに入る。重なっている部分がある場合、ステップＳ１１で重なっている範囲を撮影範囲に設定したうえで３Ｄ撮影モードに入る。
【００２５】
上記における必要な光学パラメータに関しては、ズーム範囲や絞りのほかに、手ぶれ補正量やピント範囲等撮影に必要なパラメータを網羅する。
【００２６】
これらのステップを踏むことにより、異なるレンズがついた２眼マウント撮像装置においても、３Ｄ画像を撮影することが可能になる。
【００２７】
以上、本発明の好ましい実施形態について説明したが、本発明はこれらの実施形態に限定されず、その要旨の範囲内で種々の変形及び変更が可能である。
【符号の説明】
【００２８】
２  画像撮像部、３  ３Ｄモード制御部、４  圧縮伸張処理部、１５  画像比較部、
１００  本体部、１０１  レンズ、１０２  レンズ、１０３  レンズＡ取付け部、
１０４  レンズＢ取付け部、１０５  表示部、１１０  レンズＡ、１１１  レンズＢ
【図１】
2016045266.tif 000003
【図２】
2016045266.tif 000004
【図３】
2016045266.tif 000005
【図４】
2016045266.tif 000006
【図５】
2016045266.tif 000007